(57)【特許請求の範囲】
【請求項１】
誘電体を有し、該誘電体表面には位相調整機能を有する電波吸収面が形成され、電波吸収面とは反対側の誘電体表面には電波反射面が形成され、前記電波吸収面は、独立した複数の金属線素子が配設されたもので、
該金属線素子は、複数の開放端を有し、その長さが、遮蔽しようとする周波数の電波の誘電体中での波長の２分の１に対し、３５％〜９５％であることを特徴とする電波吸収体。
【請求項２】
誘電体を有し、該誘電体表面には位相調整機能を有する電波吸収面が形成され、電波吸収面とは反対側の誘電体表面には電波反射面が形成され、前記電波吸収面は、独立した複数の金属線素子が配設されたもので、
該金属線素子は、環状で、その１周の長さは、遮蔽しようとする周波数の電波の、誘電体の換算誘電率を考慮した波長に対し、３５％〜９５％であることを特徴とする電波吸収体。
【請求項３】
電波反射面が、遮蔽しようとする周波数の電波に対応した特定の長さを有する、独立した複数の金属線素子が配設されたものであることを特徴とする請求項１ないし２いずれか一項に記載の電波吸収体。
【請求項４】
電波反射面の金属線素子が、複数の開放端を有し、該開放端間の金属線素子の長さが、遮蔽しようとする周波数の電波の換算誘電率を考慮した波長の２分の１から±２５％の範囲内であることを特徴とする請求項３記載の電波吸収体。
【請求項５】
電波反射面の金属線素子が、環状であり、その１周の長さが、遮蔽しようとする周波数の電波の換算誘電率を考慮した波長から±２５％の範囲内であることを特徴とする請求項３記載の電波吸収体。
【請求項６】
電波吸収面および電波反射面が合計で３カ所以上に設けられていることを特徴とする請求項１ないし５いずれか一項に記載の電波吸収体。
【請求項７】
電波反射面が、複数種類の金属線素子が配設されたものであることを特徴とする請求項１ないし６いずれか一項に記載の電波吸収体。
【請求項８】
電波吸収面が、その表面において反射される、遮蔽しようとする周波数の電波が４０％以下となるようなインピーダンスを有することを特徴とする請求項１ないし７いずれか一項に記載の電波吸収体。
【請求項９】
遮蔽しようとする周波数から２０％以上離れた周波数における電波の透過損失が、１０ｄＢ以下であることを特徴とする請求項１ないし８いずれか一項に記載の電波吸収体。
【請求項１０】
電波吸収面が複数箇所に設けられていることを特徴とする請求項１ないし９いずれか一項に記載の電波吸収体。
【発明の詳細な説明】
【０００１】
【発明の属する技術分野】
本発明は、電波吸収体に関するものであり、特に、特定周波数の電波を選択的に吸収する電波吸収体に関するものである。
【０００２】
【従来の技術】
近年、事業所内簡易型携帯電話や無線ＬＡＮ等の室内における専用通信の利用が広がりを見せるなか、情報の漏洩防止や外部からの侵入電波による誤動作やノイズ防止といった点から、オフィス内での電波環境を整えることが不可欠になってきている。そのような電波環境の整備用部材として、既に種々のタイプのものが提案されている。
【０００３】
例えば、特公平６−９９９７２号公報には、金属やフェライトなどの電磁シールド部材をビルの躯体に付加することで、広い周波数帯域で任意の周波数の電波を使って情報通信が出来る電磁シールド・インテルジェントビルが提案されている。
【０００４】
しかしながら、このような鉄板、金属網、金属メッシュ、金属箔などの電波反射体やフェライトなどの電波吸収体を電磁シールド部材として用いたものでは、それらの電磁シールド性に周波数選択性が無いため、遮蔽しようとする周波数以外の電波まで遮蔽してしまうという問題があった。
【０００５】
また、前記電波反射体はテレビ電波を反射し、受信障害（ゴーストの発生）の原因となるため、用いることができる箇所が制限される。さらに、電磁シールド部材間の隙間によってシールド性能が大きく低下するため、個々の部材が持つシールド性能を十分発揮させるには、部材間の接続や接地など施工面での厳密性が要求される。
【０００６】
このような問題点を解消するものとしては、特開平１０−１６９０３９号公報に、線状のアンテナ素子を定期的に配列させることで遮蔽しようとする特定周波数の電波のみを遮蔽し、部材間の接続や接地も必要ないという建物が提案されている。しかしながら、その遮蔽は反射損失によるものが大部分であるため、オフィス内部において反射電波によるＣＲＴ画面の揺らぎや通信機器の誤動作などが起こる場合があるという問題を有していた。
【０００７】
このようなオフィス内部における電波反射に起因する問題を解消するものとしては、特開平９−１６２５８９号公報や特開平５−３３５８３２号公報に、特定周波数の電波を選択的に吸収する電波吸収体が提案されている。
特開平９−１６２５８９号公報の電波吸収体は、導電体より大きく絶縁体より小さい電気抵抗値を持つエレメントを配列させて特定周波数（以上）の電波を吸収するものである。しかしながら、この電波吸収体による遮蔽は、電波の照射によってエレメント内を流れる交番電流の抵抗損失によるものであるため、微小な体積のエレメントでは、遮蔽しようとする周波数の電波においても実際的には透過が多くなり、吸収可能な電波量は僅少になるという問題を有していた。
【０００８】
特開平５−３３５８３２号公報の電波吸収体は、図８に示すように、抵抗体皮膜３１と電波反射体３２とが誘電体３３（厚さがこの誘電体内における電波波長の４分の１）を挟んで配置された電波吸収体３０であり、特定周波数の電波のみを選択的に吸収する、いわゆるλ／４型電波吸収体である。
【０００９】
このλ／４型電波吸収体による電波吸収の原理を、図９を参照しながら説明する。
一般に、電波がある媒体Ａ（誘電体３３）中から他の媒体Ｂ（電波反射体３２）へ入射する場合、Ａ／Ｂ界面での電波の反射係数ＳABは、下記式（１）で表される。
ＳAB＝（ＺB−ＺA）／（ＺB＋ＺA）  （１）
（式中、ＺA は媒体Ａの電波特性インピーダンスであり、ＺB は媒体Ｂの電波特性インピーダンスである。）
【００１０】
ここで、媒体Ｂは電波反射体３２、すなわち導体（ＺB ≒０）であるので、ＳAB≒−１となり、電波はＡ／Ｂ界面で完全に反射され、媒体Ａ中に大きな定在波が立つ。この時、媒体Ａ中での負荷インピーダンスＺの値は、下記式（２）で表されるようにＡ／Ｂ界面（Ｘ＝０）で０であり、Ａ／Ｂ界面からＸ＝λ／４（λは電波の波長）の所で無限大∞になる。
Ｚ＝ｊＺA ｔａｎ２βＸ  （２）
（式中、ｊは素数単位であり、βは伝搬定数の虚数部（位相定数）であり、ＸはＡ／Ｂ界面からの距離である。）
【００１１】
このＸ＝λ／４の位置にインピーダンスＲの抵抗体皮膜３１を置くと、この位置での負荷インピーダンスは、Ｒと∞との並列合成であるのでほぼＲとなり、この位置での反射係数Ｓλ/4 は、下記式（３）で表される値になる。
Ｓλ/4＝（Ｒ−ＺA）／（Ｒ＋ＺA）  （３）
すなわち、抵抗体皮膜３１のインピーダンスＲが、媒質Ａ（誘電体３３）の電波特性インピーダンスＺA に完全に等しければ反射係数Ｓλ/4 は０となる。
【００１２】
この電波吸収体は、電波吸収量が特開平９−１６２５８９号公報のものに比して大きく、周波数選択性にも優れる。しかしながら、誘電体の裏側を金属箔や金属網などの電波反射体で裏打ちするため、遮蔽しようとする周波数以外の電波は反射してしまう、すなわち、その周波数選択性は抵抗体皮膜側から到来する電波の反射成分に対してのみであるという問題を有していた。さらに、電波反射体側から到来する電波は、周波数に関係なく反射されてしまい、上述したテレビ電波受信障害の原因となる可能性があった。
【００１３】
遮蔽しようとする周波数の電波のみを選択的に吸収し、これ以外の電波を双方向に透過させる電波吸収体としては、特開２０００−５３４８４号に、抵抗体皮膜と、遮蔽しようとする周波数の電波に対応した特定の長さを有する金属線素子が配設された電波反射面とが、誘電体を挟んで配置された電波吸収体が提案されている。
しかしながら、この電波吸収体をはじめ、従来のλ／４型電波吸収体においては、遮蔽しようとする電波の周波数が低くなる、すなわち波長が長くなるにつれて、誘電体の厚さλ／４が厚くなり、電波吸収体全体が厚くなるといった問題を有していた。
【００１４】
【発明が解決しようとする課題】
よって、本発明の目的は、遮蔽しようとする周波数の電波を選択的に吸収し、しかも、従来のλ／４型電波吸収体よりも厚さを薄くできる電波吸収体を提供することにある。
また、本発明の目的は、さらに、遮蔽しようとする周波数以外の電波を双方向に透過させることができ、電波吸収体間の接続や接地の必要がなく施工性に優れる電波吸収体を提供することにある。
【００１５】
【課題を解決するための手段】
本発明の電波吸収体は、誘電体を有し、該誘電体表面には位相調整機能を有する電波吸収面が形成され、電波吸収面とは反対側の誘電体表面には電波反射面が形成されていることを特徴とする。
また、電波吸収面は、独立した複数の金属線素子が配設されたものであることが望ましい。
ここで、金属線素子は、複数の開放端を有するものであってもよく、環状のものであってもよい。
【００１６】
また、電波反射面は、遮蔽しようとする周波数の電波に対応した特定の長さを有する、独立した複数の金属線素子が配設されたものであることが望ましい。
ここで、金属線素子は、複数の開放端を有し、該開放端間の金属線素子の長さが、遮蔽しようとする周波数の電波の換算誘電率を考慮した波長の２分の１から±２５％の範囲内であるものであってもよく、また、金属線素子は、環状であり、その１周の長さが、遮蔽しようとする周波数の電波の換算誘電率を考慮した波長から±２５％の範囲内であるものであってもよい。
本発明においては、誘電体の誘電率、厚さ、並びに金属線素子の支持体に用いられているフィルムの誘電率、厚さを含め、等価的に求めたものを「換算誘電率」と呼ぶこととする。
【００１７】
また、電波吸収面および電波反射面は、合計で３カ所以上に設けられていてもよい。
また、電波反射面は、複数種類の金属線素子が配設されたものであってもよい。
また、電波吸収面は、その表面において反射される、遮蔽しようとする周波数の電波が４０％以下となるようなインピーダンスを有するものであることが望ましい。
また、本発明の電波吸収体は、遮蔽しようとする周波数から２０％以上離れた周波数における電波の透過損失が、１０ｄＢ以下であることが望ましい。
また、電波吸収面は、複数設けられていてもよい。
【００１８】
【発明の実施の形態】
以下、本発明を具体的に説明する。
図１は、本発明の電波吸収体の一例を示す断面図である。この電波吸収体１０は、独立した複数の金属線素子１１が配設された電波吸収面１２と、独立した複数の金属線素子１３が配設された電波反射面１４とが、誘電体１５を挟んで配置されているものである。また、図中、矢印Ｉ，IIはそれぞれ電波の到来方向を表したものである。
【００１９】
電波反射面１４は、遮蔽しようとする周波数の電波に対応した特定の長さを有する、独立した複数の金属線素子１３が誘電体１５表面に配設されたものである。ここで、金属線素子１３の材質は、インピーダンスがほぼ０である導体であることが望ましい。
すなわち、電波が到来している場所に、接地されていない金属棒や金属ワイヤーなどの導体（金属線素子１３）を置いた場合、一部の電波は吸収され、他は導体中を流れる交番電流が作る電磁界との相互作用によって反射される。この時、電波の吸収量と反射量との比（吸収量／反射量）は導体のインピーダンスによって変わり、インピーダンスがほぼ０であればその比もほぼ０となる。
【００２０】
また、金属線素子１３は、図２に示すように、開放端２０を有し、該開放端２０間の金属線素子１３の長さが、遮蔽しようとする周波数の電波の誘電体１５中での波長の２分の１とされる。すなわち、導体（金属線素子１３）と電波の相互作用（吸収、反射）は、導体と電波が共鳴する場合に大きくなり、この共鳴は、開放端間の導体の長さが電波波長の２分の１の場合に起こる。
【００２１】
なお、金属線素子１３の形状は、図２に示す線状のものに限定はされず、図３に示すような十字形のもの、図４に示すようなＹ字形にものなど、枝分かれ形状のものであっても構わない。枝分かれ形状のものでは、その分岐点から開放端２０までの長さが、電波波長の４分の１となる。
また、金属線素子１３の形状は、図５〜図７に示す三角、四角、円など環状のものであっても構わない。環状のものでは、導体と電波との共鳴は、その１周の長さが、電波波長と同じ長さの場合に起こる。
【００２２】
また、電波反射面１４に配設されたすべての金属線素子１３を同じ長さにすることは困難であり、開放端２０を有するものでは、その長さは、遮蔽しようとする周波数の電波の、誘電体１５の換算誘電率を考慮した波長の２分の１から±２５％の範囲まで、より好ましくは±１０％の範囲まで、環状ものでは、その１周の長さは、遮蔽しようとする周波数の電波の、誘電体１５の換算誘電率を考慮した波長から±２５％の範囲まで、より好ましくは±１０％の範囲まで許容される。
【００２３】
このような電波反射面１４における吸収や反射は、直接、金属線素子１３の表面に入射する電波に対してだけでなく、その金属線素子１３周囲の電波に対しても起こる（ただし、金属線素子１３から離れれば離れる程、吸収や反射量は少なくなる）。
すなわち、金属線素子１３が配設された電波反射面１４では、金属線素子１３の開放端２０間の距離が電波波長の２分の１の場合に共鳴し、相互作用が大きくなって導体と共鳴する波長（周波数）の電波は、この面で殆ど反射する。言い換えると、この長さの金属線素子１３と共鳴しない波長（周波数）の電波にとっては、この電波反射面１４は反射面とはならずにその大部分が透過する。
【００２４】
電波反射面１４は、以上に述べたような線状導体の持つ性質を利用したもので、遮蔽しようとする周波数の電波（但し、その波長は誘電体中での波長）と共鳴するような長さの金属線素子１３を配列することで電波反射面としたものである。このような電波反射面１４の反射性能は、実際にはあるインピーダンスを持つ個々の金属線素子１３中を流れる交番電流の大きさによって決まるため、その線幅や厚さは大きい程、個々の金属線素子１３間の間隔は小さい程良くなる。しかしながら、同時に、遮蔽しようとする周波数の電波以外の（周波数が赤外光以上のものを含む）電磁波の金属線素子１３表面における反射も大きくなるため周波数選択性が悪くなる。そこで実用上は、反射しようとする周波数の電波に対する反射性能と周波数選択性を考慮して、金属線素子１３の線幅、厚さ、個々の金属線素子１３間の間隔が決定される。
【００２５】
ここでは図２から図７まで、６種類の金属線素子を図示したが、金属線素子の形状がこれらに限定されるものでないことは、前記の説明で明らかである。
このような金属線素子は、例えば、誘電体１５上に金属箔を貼付し、金属線素子のパターンにしたがって紫外線硬化樹脂によるマスキングを行った後、余分な金属箔をエッチングにより取り除くことによって形成することができる。
また、電波反射面１４は、図１に示すように、金属線素子１３を誘電体１５の表面に直接設けたものに限定はされず、他の高分子フィルムやガラス、セラミックス、紙などの誘電体からなる支持体上に金属線素子を設け、その支持体を誘電体１５表面に配置したものであってもかまわない。
また、電波反射面として個々に独立した金属線素子の配列面を用いているため、電波吸収体同士の接続や接地は必要ない。このことは施工性を極めて簡便にするもので、本発明の電波吸収体のもう一つの大きな利点である。
【００２６】
電波吸収面１２は、独立した複数の金属線素子１１が誘電体１５表面に配設されたものである。
また、電波吸収面１２は、図１に示すように、金属線素子１１を誘電体１５の表面に直接設けたものに限定はされず、他の高分子フィルムやガラス、セラミックス、紙などの誘電体からなる支持体上に金属線素子を設け、その支持体を誘電体１５表面に配置したものであってもかまわない。
金属線素子１１の形状は、上述の金属線素子１３と同様に特に限定されるものではなく、例えば、図２から図７までに示す形状が挙げられる。
【００２７】
また、金属線素子１１の材質は、以下のように決定される。
上述したように、抵抗体皮膜（電波吸収面１２）のインピーダンスＲが媒質Ａ（誘電体１５）の電波特性インピーダンスＺA に完全に等しければ、電波吸収面の表面での反射係数は０となるので、電波吸収面１２は抵抗体皮膜は、そのインピーダンスＲが媒質Ａの電波特性インピーダンスＺA に近いものが好ましい。
【００２８】
したがって、電波吸収面１２がこのようなインピーダンスＲを有するようなものであれば、電波吸収面１２に用いられる金属線素子の材質は、本質的な限定を受けるものではない。
ここで媒質Ａが空気や真空であれば電波特性インピーダンスＺA は自由空間の電波特性インピーダンス（≒３７７Ω）となり、ガラスや有機高分子などの場合にはその内部での電波特性インピーダンスとなる。
【００２９】
しかしながら、導電性の高い金属線素子１１からなる電波吸収面１２のインピーダンスＲは、自由空間の電波特性インピーダンスにくらべ低く、電波特性インピーダンスＺA に近づけることは困難である。そこで、実用上問題がない電波吸収体を得るには、電波吸収面１２は、その表面における、遮蔽しようとする周波数の電波の反射を好ましくは４０％以下、より好ましくは３５％以下にするようなインピーダンスＲを有するものとされる。
また、Ｉ方向から到来する、遮蔽しようとする周波数の電波を十分に吸収するためには、電波吸収面１２の表面において進行波と反射波との間でインピーダンスをマッチングさせる必要がある。そのため、電波吸収面１２のインピーダンスやインダクタンス、コンダクタンスは、伝送線路理論や電磁界解析を用いて決定することが望ましい。
【００３０】
また、電波吸収面１２は、遮蔽しようとする周波数の電波の位相を、透過電波と、金属線素子から再放射される電波との合成によりシフトさせる働き（位相調整機能）を兼ね備えるものである。
遮蔽しようとする周波数の電波の位相をシフトさせることにより、上記式（２）で表される媒体Ａ中での負荷インピーダンスＺの値は、Ａ／Ｂ界面からＸ＝λ／４（λは電波の波長）の所で無限大∞にならずに、位相のシフトに応じて媒体Ａ中での負荷インピーダンスＺが無限大になる位置Ｘもまたシフトする。したがって、位相シフトの程度を調整することによって、電波反射面１４（Ａ／Ｂ界面）からの電波吸収層１２の位置（Ｘ）を調整すること、すなわち電波吸収体１０の厚さの変更が可能となる。
【００３１】
金属線素子１１の長さは、遮蔽しようとする周波数の電波を反射せずに、位相をシフトさせてこれを通過させるためには、開放端を有するものの場合、遮蔽しようとする周波数の電波の、誘電体１５の換算誘電率を考慮した波長の２分の１から±２％以上異なるものであることが好ましい。より好ましくは±１０％以上異なるものである。長さが波長の２分の１から±２％未満の金属線素子では、遮蔽しようとする周波数の電波の反射が大きくなるおそれがある。環状のものの場合、金属線素子１１の１周の長さは、遮蔽しようとする周波数の電波の、誘電体１５の換算誘電率を考慮した波長から±２％以上異なるものであることが好ましい。より好ましくは±１０％以上異なるものである。長さが波長から±２％未満の金属線素子では、遮蔽しようとする周波数の電波の反射が大きくなるおそれがある。
【００３２】
電波反射面１４からの電波吸収面１２の位置を近く、すなわち電波吸収体１０の厚さを薄くするためには、具体的には、金属線素子１１の長さは、開放端を有するものの場合、遮蔽しようとする周波数の電波の誘電体１５中での波長の２分の１に対し、３５％〜９５％の範囲が適当であり、４０％〜６０％の範囲がより好ましい。金属線素子１１の長さが電波波長の２分の１の３５％未満では、位相を変化させる能力が低下し、９５％を超えると、遮蔽しようとする周波数の電波の反射が大きくなるおそれがある。また、環状のものの場合、金属線素子１１の１周の長さは、遮蔽しようとする周波数の電波の、誘電体１５の換算誘電率を考慮した波長に対し、３５％〜９５％の範囲が適当であり、４０％〜６０％の範囲がより好ましい。
【００３３】
誘電体１５は、いわゆる絶縁体であれば、ガラス、セラミックス、有機高分子などその材質に本質的な制限を受けるものではなく、複数の材質を組み合わせて用いることもできる。また、本発明における誘電体には、真空、空気、その他のガスも含まれるものとする。
【００３４】
誘電体１５の厚さは、誘電体の誘電率、遮蔽しようとする電波の周波数、電波吸収面１２における位相シフトの程度によって適宜、決定される。誘電体１５の厚さ決定についても、伝送線路理論や電磁界解析を用いることが有効である。
【００３５】
このような電波吸収体１０にあっては、電波吸収面１２が位相調整機能を有しているので、電波吸収面１２による位相シフトの程度に応じて電波吸収面１２と電波反射面１４との間隔を調整することができ、遮蔽しようとする電波の周波数が同じである従来のλ／４型電波吸収体にくらべ、厚さを薄くすることができる。また、抵抗体としても機能する電波吸収面１２と電波反射面１４とが誘電体１５を挟んで配置されているので、Ｉ方向から到来する電波のうち、電波吸収面１２と電波反射面１４との間隔および電波吸収面１２による位相シフトの程度に応じた、特定の周波数の電波を吸収することができる。
【００３６】
また、電波反射面１４が、遮蔽しようとする周波数の電波に対応した特定の長さを有する金属線素子１３が配設されたものであるので、遮蔽しようとする周波数の電波のうち、II方向から到来する電波を反射しつつ、遮蔽しようとする周波数以外の電波を双方向に透過させることができ、電波吸収体間の接続や接地の必要がなく施工性に優れる。また、電波反射面１４が、金属線素子１３が配設されたものであるので、誘電体１５として光の透過率の高い材質を用いれば、得られる電波吸収体は、光の透過率の高いものとなり、窓ガラスなどにも貼設することができる。
【００３７】
ここで、遮蔽しようとする周波数以外の電波を双方向に透過させることができるとは、遮蔽しようとする周波数から２０％以上離れた周波数における電波の透過損失が、１０ｄＢ以下となる状態をいう。
【００３８】
なお、本発明の電波吸収体は、図示例の電波吸収体１０の形態のものに限定はされず、誘電体を有し、該誘電体の一方の表面には位相調整機能を有する電波吸収面が形成され、電波吸収面とは反対側の誘電体表面には電波反射面が形成されているものであれば、例えば、(1) 電波反射面の両側に、誘電体、電波吸収面が設けられているもの、(2) 電波吸収面および／または電波反射面の表面に、プラスチックフィルムやガラスなどからなる保護層などが設けられたもの、などであっても構わない。
【００３９】
また、電波反射面は、複数種類の金属線素子が配設されたものであってもよい。このような電波反射面を有する電波吸収体は、複数の周波数の電波を反射することができる。さらに、この電波反射面で反射される複数の周波数の電波のそれぞれの波長に応じた位置に、複数の電波吸収面を設ければ、複数の周波数の電波を吸収することができる。
【００４０】
【実施例】
（実施例１）
厚さ１４ｍｍの発泡スチロール（誘電体１５）表面に、金属線素子１１を有するフィルム（Ｌ：２ｐｆ、Ｒ：０．０１Ω／□）［ａｔ２．４５ＧＨｚ］を貼り付けた。
また、この発泡スチロール（誘電体１５）の裏面に、金属線素子１３を有するフィルム（Ｒ：０．０１Ω／□）［ａｔ２．４５ＧＨｚ］を貼り付け、図１に示すような電波吸収体を作製した。
【００４１】
この電波吸収体について、Ｉ方向から到来する電波に対する２．４５ＧＨｚにおける透過減衰量測定および反射減衰量の測定を行った。結果を表１に示す。
透過減衰量測定は透過損失法を用い、電波吸収体がない場合に比べて何ｄＢ透過量が減少したかを測定した。反射減衰量測定は反射電力法を用い、同じサイズの金属板と比較して何ｄＢ反射量が減少したかを測定した。測定範囲は、２ＧＨｚから２０ＧＨｚとし、ネットワークアナライザー（ヒューレッドパッカード社製、ＨＰ８５２２Ｃ）のＳ２１モードにおいて測定した。
【００４２】
（比較例１）
厚さ３０．６ｍｍの発泡スチロール（誘電体）表面に、抵抗体皮膜（Ｒ：３７７Ω／□）を有するフィルムを貼り付けた。
また、この発泡スチロール（誘電体）の裏面に、金属線素子を有するフィルム（Ｒ：０．０１Ω／□）［ａｔ２．４５ＧＨｚ］を貼り付け、抵抗体皮膜と電波反射面とが誘電体を挟んで配置された電波吸収体を作製した。
この電波吸収体について、実施例１と同様にして透過減衰量測定および反射減衰量の測定を行った。結果を表１に示す。
【００４３】
【表１】
0004857501.tif 000002
【００４４】
表１の結果から明らかなように、本発明の電波吸収体は、十分な性能を維持しつつ、従来の電波吸収体にくらべ厚さを大幅に薄くすることができることが確認された。
【００４５】
【発明の効果】
以上、説明したように、本発明の電波吸収体は、誘電体を有し、該誘電体表面には位相調整機能を有する電波吸収面が形成され、電波吸収面とは反対側の誘電体表面には電波反射面が形成されているので、電波吸収面側から到来する、遮蔽しようとする周波数の電波を選択的に吸収し、電波反射面側から到来する電波は反射し、しかも、従来のλ／４型電波吸収体よりも厚さを薄くすることができる。
本発明の電波吸収体を用いて電波遮蔽室等を形成すると、室内での専用通信（事業所内簡易型携帯電話や無線ＬＡＮなど）に使用する電波の室内での反射や室外からの侵入に起因する画面の揺らぎや専用通信の誤動作などの発生を防止できるとともに、外部との通信や公共放送の受信などが可能である。
【００４６】
また、電波吸収面が、独立した複数の金属線素子が配設されたものであれば、遮蔽しようとする周波数以外の電波を双方向に透過させることができ、電波吸収体間の接続や接地の必要がなく施工性に優れる。また、誘電体として光の透過率の高い材質を用いれば、得られる電波吸収体は、光の透過率の高いものとなり、窓ガラスなどにも貼設することができる。
【００４７】
また、電波反射面が、遮蔽しようとする周波数の電波に対応した特定の長さを有する、独立した複数の金属線素子が配設されたものであれば、遮蔽しようとする周波数の電波のうち、電波反射面側から到来する電波は反射し、遮蔽しようとする周波数以外の電波を双方向に透過させることができ、電波吸収体間の接続や接地の必要がなく施工性に優れる。また、誘電体として光の透過率の高い材質を用いれば、得られる電波吸収体は、光の透過率の高いものとなり、窓ガラスなどにも貼設することができる。
【００４８】
また、電波吸収面および電波反射面が、合計で３カ所以上に設けられていれば、複数の周波数の電波を反射することができる。
また、電波反射面が、複数種類の金属線素子が配設されたものであれば、複数の周波数の電波を反射することができる。
また、電波吸収面が、その表面において反射される、遮蔽しようとする周波数の電波が４０％以下となるようなインピーダンスを有するものであれば、電波吸収面での反射を抑えつつ、遮蔽しようとする周波数の電波を効率よく吸収することができる。
また、本発明の電波吸収体が、遮蔽しようとする周波数から２０％以上離れた周波数における電波の透過損失が１０ｄＢ以下であれば、電波吸収体を透過する、遮蔽しようとする周波数以外の電波の透過量が十分な量となる。
また、電波吸収面が、複数設けられていれば、複数の周波数の電波を吸収することができる。
【図面の簡単な説明】
【図１】  本発明の電波吸収体の一例を示す断面図である。
【図２】  本発明の電波吸収体の電波反射面における金属線素子の配設の一形態例を示す図である。
【図３】  本発明の電波吸収体の電波反射面における金属線素子の配設の他の形態例を示す図である。
【図４】  本発明の電波吸収体の電波反射面における金属線素子の配設の他の形態例を示す図である。
【図５】  本発明の電波吸収体の電波反射面における金属線素子の配設の他の形態例を示す図である。
【図６】  本発明の電波吸収体の電波反射面における金属線素子の配設の他の形態例を示す図である。
【図７】  本発明の電波吸収体の電波反射面における金属線素子の配設の他の形態例を示す図である。
【図８】  従来の電波吸収体の一例を示す断面図である。
【図９】  媒体とインピーダンスとの関係を説明するための概念図である。
【符号の説明】
１０  電波吸収体
１１  金属線素子
１２  電波吸収面
１３  金属線素子
１４  電波反射面
１５  誘電体
２０  開放端
【図１】
0004857501.tif 000003
【図２】
0004857501.tif 000004
【図３】
0004857501.tif 000005
【図４】
0004857501.tif 000006
【図５】
0004857501.tif 000007
【図６】
0004857501.tif 000008
【図７】
0004857501.tif 000009
【図８】
0004857501.tif 000010
【図９】
0004857501.tif 000011